(57)【要約】      （修正有）【課題】フロントカメラによる寄生共振を減衰させ、アンテナ性能を高めたモバイル端末のアンテナを提供する。【解決手段】フロントカメラ１０を備えるモバイル端末のアンテナは、金属フレーム１００、マザーボード２００、ダイバーシティアンテナユニット３００と、導電ブラケット４００を備えている。ダイバーシティアンテナユニット３００は、給電点と第２の接地点を有している。給電点は、マザーボード２００の給電端に接続され、第２の接地点は、マザーボード２００のシステムグランドに接続される。システムグランドは、フロントカメラ１０の対向する両側に位置する、第１のグラウンド点と第２のグラウンド点を有している。フロントカメラを跨ぐ導電ブラケット４００の両端は、第１のグラウンド点と第２のグラウンド点に接続される。導電ブラケット４００でフロントカメラ１０による寄生共振が減衰し、アンテナの性能が向上する。【選択図】図１
2019009757.tif 000002
【特許請求の範囲】
【請求項１】
フロントカメラを備えるモバイル端末のアンテナであって、
前記アンテナは、金属フレーム、マザーボード、ダイバーシティアンテナユニットと導電ブラケットを備え、前記フロントカメラが前記マザーボードに取り付けられ、
前記金属フレームはセパレート設置された放射枠及び接地枠を備え、前記放射枠と前記接地枠との間にスロットが備えられ、前記放射枠が第１の接地点を有し、
前記マザーボードはシステムグランドと給電端とを備え、前記システムグランドが第１のグラウンド点と第２のグラウンド点を有し、前記第１のグラウンド点と前記第２のグラウンド点とが前記フロントカメラの対向する両側に位置し、
前記ダイバーシティアンテナユニットは給電点と第２の接地点を有し、前記給電点が前記給電端に接続され、前記第２の接地点が  前記システムグランドに接続され、
前記導電ブラケットが前記フロントカメラを跨ぐように、前記導電ブラケットの両端はそれぞれ前記第１のグラウンド点と前記第２のグラウンド点に接続される
ことを特徴とするモバイル端末のアンテナ。
【請求項２】
前記フロントカメラの前記放射枠に近い一方の端が先端であり、前記マザーボードの厚さ方向において、前記導電ブラケットと前記先端とが対向して設置される
ことを特徴とする請求項１に記載のアンテナ。
【請求項３】
前記導電ブラケットは条形状段を備え、前記マザーボードの厚さ方向において、前記条形状段の投影と前記先端の投影とが重なり、前記条形状段の幅が２ｍｍである
ことを特徴とする請求項２に記載のアンテナ。
【請求項４】
前記条形状段の延び方向は前記モバイル端末の幅方向に平行する
ことを特徴とする請求項３に記載のアンテナ。
【請求項５】
第１の弾性脚をさらに備え、前記導電ブラケットは前記第１の弾性脚を介して前記第１のグラウンド点に接続される
ことを特徴とする請求項１に記載のアンテナ。
【請求項６】
前記第１の弾性脚の一方の端は前記第１のグラウンド点に溶接され、他方の端は前記導電ブラケットに接続される
ことを特徴とする請求項５に記載のアンテナ。
【請求項７】
第２の弾性脚をさらに備え、前記導電ブラケットが前記第２の弾性脚を介して前記第２のグラウンド点に接続され、かつ前記第２の弾性脚が前記第１の接地点に接続される
ことを特徴とする請求項１に記載のアンテナ。
【請求項８】
前記第２の弾性脚の一方の端は前記導電ブラケットに熱溶着され、他方の端は前記第１の接地点と前記マザーボードとの両方に接続される
ことを特徴とする請求項７に記載のアンテナ。
【請求項９】
チューニングスイッチをさらに備え、前記システムグランドは第３のグラウンド点を有し、前記放射枠は前記チューニングスイッチを介して前記第３のグラウンド点に接続されるとともに、前記第２の接地点は前記第３のグラウンド点に接続される
ことを特徴とする請求項１乃至８のいずれか１項に記載のアンテナ。
【請求項１０】
請求項１乃至９のいずれか１項に記載のアンテナを備える
ことを特徴とするモバイル端末。
【発明の詳細な説明】
【技術分野】
【０００１】
本発明は通信技術分野に関し、特にモバイル端末のアンテナ及びモバイル端末に関する。
【背景技術】
【０００２】
現在、モバイル端末はマザーボード、アンテナとフロントカメラを備え、アンテナが電磁波信号を受発信するようにマザーボードに接続され、フロントカメラが撮影機能を実現するようにマザーボードにも接続されている。しかるに、モバイル端末が作動するとき、フロントカメラは寄生共振（Ｓｔｒａｙ  Ｒｅｓｏｎａｎｃｅ）を生じることにより、アンテナの放射を外乱し、アンテナの性能が低くなってしまう。
【発明の概要】
【発明が解決しようとする課題】
【０００３】
本発明は、アンテナの性能を高めるように、モバイル端末のアンテナ及びモバイル端末を提供するものである。
【課題を解決するための手段】
【０００４】
本発明の第１の局面は、モバイル端末のアンテナを提供し、前記モバイル端末はフロントカメラを備え、前記アンテナは金属フレーム、マザーボード、ダイバーシティアンテナユニットと導電ブラケットを備え、前記フロントカメラが前記マザーボードに取り付けられ、
前記金属フレームはセパレート設置された放射枠及び接地枠を備え、前記放射枠と前記接地枠との間にスロットが備えられ、前記放射枠が第１の接地点を有し、
前記マザーボードはシステムグランドと給電端とを備え、前記システムグランドが第１のグラウンド点と第２のグラウンド点を有し、前記第１のグラウンド点と前記第２のグラウンド点とが前記フロントカメラの対向する両側に位置し、
前記ダイバーシティアンテナユニットは給電点と第２の接地点を有し、前記給電点が前記給電端に接続され、前記第２の接地点が前記システムグランドに接続され、
前記導電ブラケットが前記フロントカメラを跨ぐように、前記導電ブラケットの両端はそれぞれ前記第１のグラウンド点と前記第２のグラウンド点に接続される。
【０００５】
好ましくは、前記フロントカメラの前記放射枠に近い一方の端が先端であり、前記マザーボードの厚さ方向において、前記導電ブラケットと前記先端とが対向して設置される。
【０００６】
好ましくは、前記導電ブラケットは条形状段を備え、前記マザーボードの厚さ方向において、前記条形状段の投影と前記先端の投影とが重なり、前記条形状段の幅が２ｍｍである。
【０００７】
好ましくは、前記条形状段の延び方向は前記モバイル端末の幅方向に平行する。
【０００８】
好ましくは、第１の弾性脚をさらに備え、前記導電ブラケットは前記第１の弾性脚を介して前記第１のグラウンド点に接続される。
【０００９】
好ましくは、前記第１の弾性脚の一方の端は前記第１のグラウンド点に溶接され、他方の端は前記導電ブラケットに接続される。
【００１０】
好ましくは、第２の弾性脚をさらに備え、前記導電ブラケットが前記第２の弾性脚を介して前記第２のグラウンド点に接続され、かつ前記第２の弾性脚が前記第１の接地点に接続される。
【００１１】
好ましくは、前記第２の弾性脚の一方の端は前記導電ブラケットに熱溶着され、他方の端は前記第１の接地点と前記マザーボードとの両方に接続される。
【００１２】
好ましくは、チューニングスイッチをさらに備え、前記システムグランドは第３のグラウンド点を有し、前記放射枠は前記チューニングスイッチを介して前記第３のグラウンド点に接続されるとともに、前記第２の接地点は前記第３のグラウンド点に接続される。
【００１３】
本発明の第２の局面は、上記いずれか１項に記載のアンテナを備えるモバイル端末を提供するものである。
【発明の効果】
【００１４】
本発明による技術方案は以下の有益な効果を奏することができる。
本発明によるアンテナにおいて、導電ブラケットはフロントカメラの対向する両側に跨って接続され、当該導電ブラケットはフロントカメラによる寄生共振を減衰することができ、アンテナの性能を向上させる。
【００１５】
以上の一般的な説明と後述の詳細な説明は例示的なものにすぎず、本発明を限定することはできないことを理解すべきである。
【図面の簡単な説明】
【００１６】
【図１】図１は本発明の実施例によるモバイル端末の部分構成模式図である。
【図２】図２は本発明の実施例によるモバイル端末の部分構成の他の模式図である。
【図３】図３は本発明の実施例によるアンテナにおける導電ブラケットの構成模式図である。
【図４】図４は本発明の実施例によるアンテナと従来のアンテナのエコー損失の比較図である。
【図５】図５は本発明の実施例によるアンテナと従来のアンテナのアンテナ効率の比較図である。
【００１７】
ここの図面は、明細書に組み入れられて本明細書の一部を構成しており、本発明に応じた実施例を示し、本発明のメカニズムを明細書とともに解釈するためのものである。
【発明を実施するための形態】
【００１８】
以下、具体的な実施例によって図面を結合して本発明をさらに詳細に説明する。
【００１９】
図１〜図３に示すように、本発明の実施例はモバイル端末のアンテナを提供しており、このアンテナは電磁波信号を受発信することができることにより、モバイル端末の通信機能を実現するものである。具体的には、ここのモバイル端末は携帯電話、タブレットＰＣ等であってよい。一般的には、当該モバイル端末はフロントカメラ１０とリアカメラ１１とを備え、このフロントカメラ１０とリアカメラ１１とはいずれも撮影機能を実現し、ユーザーの撮影ニーズを満足することができる。
【００２０】
本発明の実施例によるアンテナは具体的に、金属フレーム１００、マザーボード２００、ダイバーシティアンテナユニット３００と導電ブラケット４００を備えてよい。そのうち、
金属フレーム１００は、セパレート設置された放射枠１１０及び接地枠１２０を備え、放射枠１１０と接地枠１２０との間はスロット１００aを有する。具体的には、放射枠１１０は条形状構成を呈しており、その対向する両端はいずれも前記接地枠１２０との間にスロット１００aを形成しており、当該スロット１００aは放射枠１１０の放射性能を向上させることができる。好ましくは、このスロット１００aの幅は１.５ｍｍにすることができ、ここの幅の向きは放射枠１１０から接地枠１２０へ向かう向きである。また、放射枠１１０は第１の接地点１１１を有し、放射枠１１０は当該第１の接地点１１１を介して接地される。
【００２１】
マザーボード２００はシステムグランドと給電端とを備え、上記のフロントカメラ１０はマザーボード２００に取り付けられ、マザーボード２００を介してフロントカメラ１０の作動状態を制御することができる。システムグランドは第１のグラウンド点２１０と第２のグラウンド点２２０を有し、第１のグラウンド点２１０と第２のグラウンド点２２０とはそれぞれフロントカメラ１０の対向する両側に位置する。好ましくは、マザーボード２００はＦＰＣ（Ｆｌeｘiｂｌe  Ｐｒiｎｔeｄ  Ｃiｒｃuiｔ、フレキシブル回路基板）を採用することができる。
【００２２】
ダイバーシティアンテナユニット３００は給電点３１０と第２の接地点３２０を有し、給電点３１０はマザーボード２００の給電端に接続されることにより、給電点３１０と給電端との間の電気的な接続作用によってダイバーシティアンテナユニット３００の給電を実現する。第２の接地点３２０はマザーボード２００のシステムグランドに接続されることにより、第２の接地点３２０の接地によってダイバーシティアンテナユニット３００全体の接地を実現し、ダイバーシティアンテナユニット３００の放射性能を保証する。当該ダイバーシティアンテナユニットは金属リングを備えてよく、第２の接地点３２０が当該金属リングに設置されるため、当該金属リングは第２の接地点３２０を介してシステムグランドに接続することができる。
【００２３】
導電ブラケット４００がフロントカメラ１０を跨ぐように、導電ブラケット４００の両端はそれぞれマザーボード２００の第１のグラウンド点２１０と第２のグラウンド点２２０とに接続される。導電ブラケット４００の一方の端が第１のグラウンド点２１０に接続された後、導電ブラケット４００はシステムグランドに接続される。同様に、導電ブラケット４００の他方の端が第２のグラウンド点２２０に接続された後、導電ブラケット４００もシステムグランドに接続されることとなる。
【００２４】
上記のアンテナによれば、導電ブラケット４００はフロントカメラ１０の対向する両側に跨って接続され、当該導電ブラケット４００の対向する両端はいずれもマザーボード２００のシステムグランドに接続されるため、当該導電ブラケット４００は遮蔽するような役割を果たし、フロントカメラ１０による寄生共振を減衰することができ、アンテナの性能を向上させる。
【００２５】
一般的には、フロントカメラ１０はモバイル端末の長手方向に配置することができ、すなわち、フロントカメラ１０の両端のうち、一方の端は他方の端よりも放射枠１１０に近い。説明の便宜上、フロントカメラ１０の放射枠１１０に近い端を先端と記し、フロントカメラ１０の放射枠１１０から離間する端を底部端と記し、当該先端と底部端との間に位置する部分を中部と記す。このとき、導電ブラケット４００はフロントカメラ１０の先端、中部と底部端のうちの一方に対応して設置することができ、もちろん、導電ブラケット４００はフロントカメラ１０の先端と中部、またはフロントカメラ１０の中部と底部端をともに覆うこともできる。
【００２６】
好ましくは、マザーボード２００の厚さ方向において、導電ブラケット４００とフロントカメラ１０の先端とは対向して設置される。つまり、導電ブラケット４００全体がフロントカメラ１０の放射枠１１０により近い位置に対応して設置され、導電ブラケット４００がフロントカメラによる寄生共振をよりよく減衰することができ、アンテナの放射性能をさらに向上させる。
【００２７】
導電ブラケット４００の効果をさらに強化するために、図３に示すように、本発明の実施例による導電ブラケット４００は条形状段４１０を備えてもよく、当該条形状段４１０の他に、第１の接続段４２０と第２の接続段４３０とをさらに備え、条形状段４１０の両端がそれぞれ第１の接続段４２０と第２の接続段４３０を介してマザーボード２００に接続される。マザーボード２００の厚さ方向において、条形状段４１０の投影がフロントカメラ１０の先端の投影に重なり、上記第１の接続段４２０及び第２の接続段４３０の投影がフロントカメラ１０の先端の投影に重なっていない。具体的には、条形状段４１０は矩形状構成としてよく、その幅は２ｍｍにしてよく、これにより導電ブラケット４００の効果を最適化する。さらに、第１の接続段４２０の幅と第２の接続段４３０の幅は何れも条形状段４１０の幅よりも少し広くすることができ、これにより導電ブラケット４００とマザーボード２００との間の接続面積を増大し、導電ブラケット４００とマザーボード２００との間の接続強度を増加する。
【００２８】
好ましい実施例では、上記条形状段４１０の延び方向はモバイル端末の幅方向に平行してもよい。つまり、条形状段４１０はモバイル端末の幅方向に延びている。通常では、フロントカメラ１０の幅方向とモバイル端末の幅方向とは平行になるため、条形状段４１０がモバイル端末の幅方向に延びているとき、条形状段４１０の分布はより規則正しくなり、導電ブラケット４００のフロントカメラ１０による寄生共振への抑圧幅の制御に寄与する。これとともに、この構成はアンテナの構成と加工プロセスを簡潔化することができ、アンテナのコストがより低くなる。
【００２９】
導電ブラケット４００と第１のグラウンド点２１０との間の接続をしやすいために、図２に示すように、本発明の実施例によるアンテナは第１の弾性脚５００をさらに備え、導電ブラケット４００が当該第１の弾性脚５００を介して第１のグラウンド点２１０に接続される。ここの第１の弾性脚５００は導電ブラケット４００と第１のグラウンド点２１０との間の接続強度を強化し、導電ブラケット４００がマザーボード２００により確実に接続することができる。好ましくは、導電ブラケット４００はＬＤＳ（Ｌaｓeｒ Ｄiｒeｃｔ  Ｓｔｒuｃｔｕｒiｎｇ、レーザー直接成型技術）を採用して加工してなることができる。
【００３０】
さらには、上記第１の弾性脚５００の一方の端は第１のグラウンド点２１０に溶接され、他方の端は導電ブラケット４００に接続される。当第１の弾性脚５００が溶接によってマザーボード２００に接続されるとき、両方の間の接続強度がより高くなるとともに、溶接の操作がより容易に実施することができ、アンテナの組付プロセスが簡単になる。もちろん、第１の弾性脚５００は他の接続方式によってマザーボード２００に接続することもできる。
【００３１】
上記第１の弾性脚５００と同じように、図２に示すように、本発明の実施例によるアンテナは第２の弾性脚６００をさらに備えてよく、導電ブラケット４００が当該第２の弾性脚６００を介して第２のグラウンド点２２０に接続され、かつ第２の弾性脚６００が第１の接地点１１１に接続される。当該第２の弾性脚６００は導電ブラケット４００と第２のグラウンド点２２０との間の接続強度を増加するだけでなく、同時に第１の接地点１１１とシステムグランドとの間の接続も実現することができるため、当該第２の弾性脚６００を採用したら、別の構成を設置して第１の接地点１１１とシステムグランドとの間の接続を実現する必要はなく、アンテナに含まれる部品点数がより少なくなり、アンテナ全体が占めるスペースがより小さくなり、モバイル端末内の他の部品の配置に有利である。
【００３２】
またさらに、上記第２の弾性脚６００の一方の端は導電ブラケット４００に熱溶着されることができ、他方の端は第１の接地点１１１とマザーボード２００との両方に接続される。当第２の弾性脚６００が熱溶着によって導電ブラケット４００に接続されるとき、両方の間の接続強さがより高くなるとともに、熱溶着の操作が容易に実施することができ、アンテナの組付プロセスが簡単になる。もちろん、第２の弾性脚６００は他の接続方式によって導電ブラケット４００に接続することもできる。
【００３３】
本発明の実施例によるアンテナの放射性能を改善するために、当該アンテナはチューニングスイッチ（図示しない）を備えてもよく、マザーボード２００のシステムグランドは第３のグラウンド点２３０を有し、放射枠が当該チューニングスイッチを介して第３のグラウンド点２３０に接続されるとともに、第２の接地点３２０が第３のグラウンド点２３０に接続される。すなわち、ダイバーシティアンテナユニット３００はチューニングスイッチを介して第３のグラウンド点２３０に接続される。当該チューニングスイッチを設置すれば、グランド結合によってダイバーシティアンテナユニットの各周波数帯域を調節することができ、モバイル端末の様々な適用場所に応じられ、アンテナ全体が対応する適用場所にて最適な効果を発揮する。
【００３４】
具体的には、当ダイバーシティアンテナユニット３００が金属リングを備えるとき、当該金属リングがチューニングスイッチに接続されることにより、チューニングスイッチを介してダイバーシティアンテナユニット３００の各周波数帯域を切り換える。
【００３５】
上記のアンテナによれば、当該アンテナの低周波数帯域が７９０〜９６０ＭＨｚに達することができ、高周波数帯域が１７１０〜２６９０ＭＨｚに達することができる。
【００３６】
図４は、アンテナに導電ブラケット４００（すなわち、本発明の実施例によるアンテナ）が設置されたときと、導電ブラケット４００（すなわち、従来のアンテナ）が設置されていないときのエコー損失図を示すものである。そのうち、図面の実線はアンテナに導電ブラケット４００が設置された場合に対応し、破線はアンテナに導電ブラケット４００が設置されていない場合に対応する。図５は、アンテナに導電ブラケット４００が設置されたときと、導電ブラケット４００が設置されていないときのアンテナ効率図を示すものである。そのうち、図面の実線はアンテナに導電ブラケット４００が設置された場合に対応し、破線はアンテナに導電ブラケット４００が設置されていない場合に対応する。図４に示すように、アンテナに導電ブラケット４００が設置されると、アンテナのエコー損失の絶対値が増えるため、アンテナの放射性能が向上する。図５に示すように、アンテナに導電ブラケット４００が設置されると、アンテナの効率が高くなるため、アンテナの放射性能が向上する。
【００３７】
上記のアンテナに基づき、本発明の実施例はモバイル端末をさらに提供し、当該モバイル端末は上記実施例のいずれかに記載のアンテナを備える。
【００３８】
上述したのは本発明の好ましい実施例にすぎず、本発明を限定するものではなく、当業者にとって、本発明は各種の変更と変化を行うことができる。本発明の精神と原則の範囲内で行われたあらゆる修正、等価置換、改良等は、いずれも本発明の保護範囲に含まれる。
【符号の説明】
【００３９】
１０…フロントカメラ、
１１…リアカメラ、
１００…金属フレーム、
１００a…スロット、
１１０…放射枠、
１１１…第１の接地点、
１２０…接地枠、
２００…マザーボード、
２１０…第１のグラウンド点、
２２０…第２のグラウンド点、
２３０…第３のグラウンド点、
３００…ダイバーシティアンテナユニット、
３１０…給電点、
３２０…第２の接地点、
４００…導電ブラケット、
４１０…条形状段、
４２０…第１の接続段、
４３０…第２の接続段、
５００…第１の弾性脚、
６００…第２の弾性脚。
【図１】
2019009757.tif 000003
【図２】
2019009757.tif 000004
【図３】
2019009757.tif 000005
【図４】
2019009757.tif 000006
【図５】
2019009757.tif 000007